(57)【要約】【課題】物流システムや宅配サービス等に使用可能な作業性、堅牢性等が優れた保温キャビネットを提供する。【解決手段】ハウジング２、ハウジングシース４、ドア３およびドアシース６等により構成される。ハウジングシース４は、鏡像関係の上下フレーム４０、４０´およびこれら上下フレーム４０、４０´間を連結する１本以上のバー５３〜５６により構成される。ドアシース６は、鏡像関係の上下フレーム６０、６０´、バー７０およびスイッチバー７１により構成される。ドアシース６は、ピボット５９によりハウジングシース４に旋回自在に取り付けられ、更にハンドル９３、ドアフック９７が設けられ、ドア３を開閉自在にする。【選択図】図１
0003109526.tif 000002
【実用新案登録請求の範囲】
【請求項１】
ハウジングと、ドアと、ハウジングシースとにより構成され、該ハウジングシースは、前記ハウジングの頂部に取り付けられた上フレーム、前記ハウジングの底部に取り付けられた下フレームおよび前記上下フレーム間に連結され前記ハウジングの少なくとも一側に配置された少なくとも１本のバーを含み、前記ハウジングは、前記ドアの頂部に取り付けられた上フレームおよび前記ドアの底部に取り付けられた下フレームを有するドアシースと、該ドアシースの一側に配置された１対のボルトを含み前記ハウジングシースに対して前記ドアシースを旋回可能に連結するピボット素子とよりなることを特徴とする保温キャビネット。
【請求項２】
前記ドアシースは、前記ピボット素子の反対側に配置されたスイッチバーをさらに備えることを特徴とする請求項１に記載の保温キャビネット。
【請求項３】
前記上下フレームおよび前記ドアシースの前記下フレームの一側には、それぞれ１個のピボットスタンドが設けられ、前記ハウジングシースの前記上下フレームの前記ピボットスタンドと反対の一側に延長プレートが設けられ、前記ピボット素子の前記１対のボルトは、それぞれ前記ピボットスタンドおよび前記延長プレートにロックされることを特徴とする請求項１に記載の保温キャビネット。
【請求項４】
前記ドアシースは、前記ドアシースの前記上下フレーム間の前記ピボットスタンドに配置されたバーを更に備えることを特徴とする請求項１に記載の保温キャビネット。
【請求項５】
前記ハウジングシースの底に複数のキャスターが設けられていることを特徴とする請求項１に記載の保温キャビネット。
【請求項６】
支持プレートが前記ハウジングシースの前記バーに取り付けられ、且つ前記支持プレートは前記ハウジングに固定されていることを特徴とする請求項１に記載の保温キャビネット。
【請求項７】
振動防止バンパが前記ハウジングシースの前記下フレームの下に配置されることを特徴とする請求項１に記載の保温キャビネット。
【請求項８】
前記ドアに固定された前記複数の支持プレートは、前記スイッチバーを挿通することを特徴とする請求項２に記載の保温キャビネット。
【請求項９】
前記スイッチバーは回転可能であることを特徴とする請求項２に記載の保温キャビネット。
【請求項１０】
少なくとも１個のドアフックおよび対応するドアボルトにより構成されるスイッチアセンブリを更に備え、前記ドアフックは前記スイッチバーの一端に固定され、前記ドアボルトは前記ハウジングシースに固定されることを特徴とする請求項２に記載の保温キャビネット。
【請求項１１】
前記スイッチアセンブリは、前記スイッチバーに旋回可能に連結されたハンドルを更に備えることを特徴とする請求項１０に記載の保温キャビネット。
【請求項１２】
前記スイッチアセンブリは、前記ハンドルの固定に使用され、前記ドアに固定されているホルダを更に備えることを特徴とする請求項１０に記載の保温キャビネット。
【考案の詳細な説明】
【技術分野】
【０００１】
本考案はキャビネット、特に衝突や破損を防止し且つ移動可能、良好な気密性および保温性の優れた保温キャビネット（Thermal Cabinet）に関する。
【背景技術】
【０００２】
商取引の形態（タイプ）、物流システム／宅配サービスの変化により、ビジネス運営や人々の生活の両面で便利なサービスが提供されるようになっている。その結果、物流システムおよび宅配サービスの用途では保温キャビネットが重要な役割を担っている。
【考案の開示】
【考案が解決しようとする課題】
【０００３】
従来、これらの用途に使用される多くの保温キャビネットが提案され実用化されているが、何れも何らかの欠点乃至課題を有し、次の点で改良が望まれている。
（１）保温キャビネットの外表面は、直接環境に晒されるので、他の同様な保温キャビネットやロール状のコンテナと衝突し易く、その結果キャビネットの表面には外力が加えられ易く、常に破損の虞がある。これはキャビネットの美観を害するのみならず保温キャビネットの性能を損なう虞がある。
（２）陸上運搬中の衝突や追突に十分な耐性を有しておらず、ドアロックの緩みや解除およびドアの分離を生じさせ、保温キャビネットのドアとハウジング間の気密性を悪化させ、保温性を悪化又は維持を困難にする。
（３）また、キャビネットにレールを加えるのは容易でなく、力の加わり方は良好でなく、従って、保温キャビネットの押し又は引きは困難であり、作業（運搬）効率が悪く、運搬者の怪我や事故の可能性が高い。
【０００４】
本考案は、従来技術の上述の如き課題に鑑みなされたものであり、陸上運送中の衝突や衝撃に耐えることができるハウジング／ドアを有し、ドアの緩みや解放が阻止でき、他の保温キャビネットとの衝突によるキャビネットのハウジング／ドアの外面に損傷を生じさせることがなく、キャビネットの美観、気密性および保温性が維持でき、更にキャビネットのハウジングを容易に押し／引き可能であり、運搬者の怪我や事故を防止可能な保温キャビネットを提供することを主たる目的とする。
【課題を解決するための手段】
【０００５】
上述の課題を克服して上述の目的を達成するため、本考案の保温キャビネットは、ハウジング、ドア、上フレームに形成されたハウジングシース、下フレームおよび上フレームと下フレーム間を連結する少なくとも１個のバーにより構成され、上フレームはハウジングの１つの頂部に取り付けられ、下フレームはハウジングの底部に取り付けられ、バーはハウジングの少なくとも一側に配置され、ドアシースが他の上フレームおよび他の下フレームに形成され、上フレームはドアの１つの頂部に取り付けられ、下フレームはドアの底部に取り付けられ、更にドアシースの一側に配置された１対のボルトよりなるピボット素子がドアシースをハウジングシースに旋回可能に連結するために使用される。
【０００６】
ドアシースは、ピボット素子の反対のドアシースの一側に設けられたスイッチバーを更に備えるのが好ましい。
【０００７】
ドアシースの上フレームおよび下フレームの両方の一側にそれぞれ１個のピボットスタンドが設けられ、ピボットスタンドに対応するハウジングシースの上フレームおよび下フレームの両方の一側にそれぞれ延長プレートが設けられ、ピボット素子の１対のボルトはピボットスタンドおよび延長スタンド内にそれぞれロックされるのが好ましい。
【０００８】
更に、ドアシースは、このドアシースの上フレームおよび下フレームのピボットスタンド間に配置されたバーを備えるのが好ましい。
【０００９】
複数のキャスターがハウジングシースの底に設けられるのが好ましい。
【００１０】
複数の支持プレートがハウジングに締め付けられ且つハウジングシースのバーが支持プレートを貫通するのが好ましい。
【００１１】
ハウジングシースの下フレームに振動防止バンパが取り付けられ、それがドアシースの下フレームの下に位置されるのが好ましい。
【００１２】
スイッチバーは、ドアに固定された支持プレートを貫通するのが好ましい。
【００１３】
スイッチバーは、旋回可能であるのが好ましい。
【００１４】
本考案の保温キャビネットは、更に少なくとも１個のドアフックおよび対応するドアボルトよりなるスイッチアセンブリを備え、ドアフックはスイッチバーの一端に固定され且つドアボルトはハウジングシースに固定されるのが好ましい。
【００１５】
スイッチアセンブリは、更にスイッチバーに旋回可能に連結されたハンドルを備えるのが好ましい。
【００１６】
スイッチアセンブリは、更にハンドルの締め付けに使用されるホルダを備え且つこのホルダはドアに固定されているのが好ましい。
【考案の効果】
【００１７】
本考案の保温キャビネットによると、次の如き実用上の顕著な効果を有する。即ち、本考案の保温キャビネットはハウジングシースおよびドアシースにより構成され、そのハウジングおよびドアは運搬中の衝突や衝撃に耐えられ、且つドアの緩みおよび解放を阻止可能である。また、ハウジングシースおよびドアシースはハウジングおよびドアの上下を包囲するので、ハウジングおよびドアの外面を保護し、他の保温キャビネットと衝突してもハウジングやドアの損傷を防止すると共に、良好な外観、気密性および保温性を維持する。更に、この保温キャビネットは十分なバーを備えるので、キャビネットの押し又は引きを容易にし、作業（運搬）効率および運搬者の安全性を高め、怪我や事故の防止が可能である。
【実施例１】
【００１８】
以下、本考案による保温キャビネットの好適実施例の構成および作用を、添付図面を参照して詳細に説明する。先ず、図１乃至図３を参照して説明する。本考案による保温キャビネット１は、ハウジング２、ドア３、ハウジングシース４、ドアシース６および後述するピボット素子により構成される。図１は、保温キャビネット１の斜視図であり、図２はハウジングシース４の斜視図であり、図３はドアシース６の斜視図である。
【００１９】
図２に示す如く、ハウジングシース４は、上フレーム４０、下フレーム４０´およびバー５３、５４、５５、５６により構成される。下フレーム４０´の構成は、上フレーム４０の構成と同じであるが、反対向き（即ち、鏡像関係）であるので、対応する部分には「´」を付して示し、構成に関する説明は省略する。
【００２０】
上フレーム４０は、フレームバー４１、４２、４３および４４により連結された正方形のフレーム（枠状）であり、更にフレームバー４１、４３は下向きに延びるパッチ４５、４７を有し、フレームバー４２、４４は上向きに延びるパッチ４６、４８を有する。フレームバー４１、４３の前端は、それぞれ前方へ延びる延長プレート５２、５１となり、フレームバー４１、４３の後端は、水平方向に対して９０°で相互に反対向きのバンパ５０、４９に連結されている。バー５３、５４は、上フレーム４０のフレームバー４１および下フレーム４０´のフレームバー４１´間に固定されており、またパッチ４５、４５´の外側に配置されている。他の２個のバー５５、５６は、上フレーム４０のフレームバー４３および下フレーム４０´のフレームバー４３´間に固定され且つパッチ４７、４７´の外側に配置されている。
【００２１】
図４は、上フレーム４０および下フレーム４０´の連結締め付けの詳細構成を示す。バーの連結および締め付けは同じであるので、上フレーム４０のフレームバー４１とバー５３のみについて詳述する。図４に示す如く、ねじ５８は、フレームバー４１の予め形成された開口にねじ込まれ、バー５３の上端部に形成されたねじ部にねじ固定される。同様手段により、バー５３、５４、５５、５６は、上フレーム４０および下フレーム４０´に連結され、一体化してハウジングシース４を形成する。更に、延長プレート５２上に、ねじ５８が使用され、下向きに延びるスイッチアセンブリ９のドアボルト９２を締め付ける。この詳細は後述する。
【００２２】
キャビネットハウジング２は、ハウジングシース４内に設けられる。換言すると、ハウジングシース４は、上フレーム４０のパッチ４５、４７およびバンパ４９、５０によりハウジング２の頂部に取り付けられ、且つ下フレーム４０´のパッチ４５´、４７´およびバンパ４９´、５０´によりハウジング２の底上に取り付けられる。そこで、ハウジング２は、ハウジングシース４内に配置され且つそれにより保護される。更に、バー５３、５４、５５、５６は、ハウジングの２側に配置され、また各バーの略中央部において支持プレート５７が挿通され、この支持プレート５７は、ハウジング２の１側面に固定される。更に、１対のキャスター２０が下フレーム４０´の各バー４１´および４３´の下に配置されている（図７参照）。
【００２３】
図３に示す如く、ドアシース６は、上フレーム６０および下フレーム６０´により構成される。下フレーム６０´の構成は、上フレーム６０と同様であり、鏡像関係であるので、下フレーム６０´の構成部分には、上フレーム６０の構成部分に記号「´」を付して示し、関連する構成の説明は省略する。上フレーム６０は、略矩形フレームであり、凹部（溝）６６、連結された側壁６１、６２、６３、６４、６５を含み、更に側壁６２から左方向へ延長プレート６７および右方向へプレートハウジング６９よりなるピボットスタンド６８を形成する。上フレーム６０の凹部６６はドア３の上に取り付けられ、下フレーム６０´の凹部６６´はドア３の底に取り付けられ、これによりドア３はドアシース６内に配置される（図８参照）。
【００２４】
再度図３を参照する。ドアシース６は、更にバー７０およびスイッチバー７１を備えている。図５を参照すると、ねじ５８がプレートハウジング６９に予め形成された開口にロックされ、ねじ部をバー７０の頂部内にねじ込み、そして上フレーム６０および下フレーム６０´の右端のピボットスタンド６８、６８´間に連結される。図６を参照すると、ボルト５９が側壁６２の左側の予め形成された開口内にロックされ、スイッチバー７１内に差し込まれる。そこで、スイッチバー７１を上フレーム６０および下フレーム６０´の左端の延長プレート６７、６７´間に連結する。更に、スイッチバー７１は、ボルト５９をピボットとして使用することにより回転可能である。図８において、支持プレート５７がスイッチバー７１の略中央部に挿通され、ドア３の側壁に取り付けられる。
【００２５】
図２、図３、図７および図８に示す如く、保温キャビネット１は、更にスイッチアセンブリを備えている。このスイッチアセンブリは、１対のドアフック９７および対応するドアボルト９２により構成される。１対のドアフック９７は、それぞれスイッチバー７１の両端に固定され、且つ１対のドアボルト９２は、それぞれハウジングシース４の延長プレート５２、５２´に固定されている。また、スイッチアセンブリは、ハンドル９３およびホルダ９５（図９参照）を備え、ハンドル９３はピボット９４によりスイッチバー７１に旋回可能に連結され、更にハンドル９３はドア３の側壁に固定されたホルダ９５により保持およびロックされる（詳細は後述する）。
【００２６】
ピボット素子は１対のボルト５９により構成される。この１対のボルト５９により、ハウジング２に取り付けられたハウジングシース４およびドア３に取り付けられたドアシース６は、一体化される。換言すると、上述した如く、ドアシース６の上フレーム６０および下フレーム６０´の一側がそれぞれピボットスタンド６８、６８´を構成し、且つハウジングシース４の上フレーム４０および下フレーム４０´の一側がピボットスタンド６８、６８´の対応する延長プレート５２、５２´を構成する。ピボット素子の１対のボルト５９は、延長プレート５２、５２´およびピボットスタンド６８、６８´内にロックされ、ハウジングシース４およびドアシース６が図１に示す如く一体に組立てられる。
【００２７】
図１に示す如く完全に組立てられた保温キャビネット１によると、ドア３は、ピボット素子のボルト５９をピボット（旋回軸）としてドア３はハンドル９３の操作により回転して開閉可能である。ハウジングシース４の下フレーム４０´には、延長プレート５２´が形成され、且つこの延長プレート５２´はドアシース６の下フレーム６０´の下に位置するので、ドア３を閉じると、ハウジングシース４の下フレーム４０´の延長プレート５２はドア３の振動防止バンパとして作用する。ハンドル９３を、図１に示す如く時計方向にバー５３に向けて回転すると、ハンドル９３は、スイッチバー７１を駆動して一体に回転させる。そして同時に、ドアフック９７を駆動して、このドアフック９７をドアボルト９２に向けて回転させ、ドアボルト９２に固定される。このようにして、ハウジング２およびドア３の閉状態がロックされる。ドア３のこの位置において、更に押下げると、ホルダ９５内に固定され、スイッチバー７１に並行且つ平坦面にされ、図９に示す如く誤って衝突するのを阻止する。
【００２８】
次に、図１０を参照してハンドル９３およびホルダ９５の固定状態を説明する。図１０に示す如く、ホルダ９５は、L字状のプレート９６により構成される。ハンドル９３が図１に示す状態のとき、ホルダ９５のプレート９６は、スイッチバー７１から離れてギャップを有する。そして、ハンドル９３を図１０の如く押下げると、ハンドル９３は、このギャップ内に入り、ハンドル９３はプレート９６により保持される。
【実施例２】
【００２９】
次に、図１１を参照して、本考案の保温キャビネットの第２実施例を説明する。この保温キャビネット１は、ホルダ９５を省略している点で上述した第１実施例の保温キャビネット１と相違するが、その他の構成は図９に示す実施例と同一である。この実施例には、ホルダ９５をハンドルに確実に保持する機構がないが、ドアフック９７はドア３の「開」状態と反対であるので、ドアフック９７はドアボルト９２の固定にも使用でき、ドア３が自動的（自然）に解放されて開くのを阻止する。
【００３０】
以上、本考案の保温キャビネットを好適実施例に基づき詳述した。しかし、斯かる実施例は、本考案の単なる例示に過ぎず、何ら本考案を限定するものではないことに留意されたい。本考案の要旨又は精神を逸脱することなく、特定用途に応じて種々の変形変更が可能であること、当業者には容易に理解できよう。例えば、ハウジングシースのバーの個数および位置等は何ら限定されず、またバーは必要に応じてハウジングの裏側に設けてもよい。ピボット素子の構成およびドアボルトやドアフックの固定には種々の技法が適用可能である。従って、これら変形変更は、本考案の登録請求の範囲に記載された技術的範囲に包含されると解すべきである。
【図面の簡単な説明】
【００３１】
【図１】本考案による保温キャビネットの第１実施例の完全組立状態における全体構成を示す斜視図であり、スイッチアセンブリはアンロック状態である。
【図２】本考案による保温キャビネットのハウジングシースの斜視図である。
【図３】本考案による保温キャビネットのドアシースの斜視図である。
【図４】図２に示すハウジングシースのバーおよび上フレームの接合状態を示す部分断面図である。
【図５】図３に示すドアシースのバーと上フレームの接合状態を示す部分断面図である。
【図６】図３に示すドアシースのスイッチバーおよび上フレームの接合状態を示す部分断面図である。
【図７】本考案による保温キャビネットのハウジングおよびハウジングシースの組立状態の斜視図である。
【図８】本考案による保温キャビネットのドアおよびドアシースの組立状態の斜視図を示す。
【図９】本考案における保温キャビネットの斜視図であり、スイッチアセンブリのロック状態を示す。
【図１０】図９におけるハンドルとホルダの固定状態を示す部分断面図である。
【図１１】本考案による保温キャビネットの第２実施例の斜視図であり、ホルダが除去されている。
【符号の説明】
【００３２】
１  保温キャビネット
２  ハウジング
３  ドア
４  ハウジングシース
６  ドアシース
４０、６０  上フレーム
４０´、６０´  下フレーム
５２  延長プレート（振動防止バンパ）
５３〜５６  バー
５７  支持プレート
５９  ボルト（ピボット）
６７  延長プレート
６８  ピボットスタンド
７１  スイッチバー
９３  ハンドル
９５  ホルダ
９７  ドアフック
【図１】
0003109526.tif 000003
【図２】
0003109526.tif 000004
【図３】
0003109526.tif 000005
【図４】
0003109526.tif 000006
【図５】
0003109526.tif 000007
【図６】
0003109526.tif 000008
【図７】
0003109526.tif 000009
【図８】
0003109526.tif 000010
【図９】
0003109526.tif 000011
【図１０】
0003109526.tif 000012
【図１１】
0003109526.tif 000013